(57)【要約】【課題】ユーザーに対して、より確実に走査体の固定及び固定の解除を促す、画像読取装置、及び画像形成装置を得る。【解決手段】操作パネルユニット２４がロック位置Ｐ２に配置されているときには、操作パネルユニット２４の側面が走査ユニット３２の移動方向側に当てられ、走査ユニット３２の移動が規制されている。操作パネルユニット２４が使用位置Ｐ２に配置されているときには、に示すように、操作パネルユニット２４の側面による走査ユニット３２の移動規制が解除される。【選択図】図５
2009303127.tif 000002
【特許請求の範囲】
【請求項１】
基準位置部材と、
原稿に照射された光の反射光が結像される撮像素子と、
光学部品を有し走査方向に移動可能な走査体と、
前記基準位置部材と相対移動されることにより、前記走査体の前記走査方向の移動を許容する使用位置と、前記走査体の前記走査方向の移動を規制するロック位置と、の間で移動可能とされ、操作パネルユニットを少なくとも含んで構成された、ロック用移動部材と、
を備えた画像読取装置。
【請求項２】
前記ロック用移動部材は、前記使用位置では前記走査体の駆動の入力を可能とすると共に、前記ロック位置では前記走査体の駆動の入力を制限すること、を特徴とする請求項１に記載の画像読取装置。
【請求項３】
前記ロック用移動部材は、前記走査体を収容した筐体を含んで構成され、前記筐体と前記基準位置部材とが相対移動されること、を特徴とする請求項１または請求項２に記載の画像読取装置。
【請求項４】
前記基準位置部材は、前記走査体を収容した筐体を含んで構成され、前記筐体と前記操作パネルユニットとが相対移動されること、を特徴とする請求項１または請求項２に記載の画像読取装置。
【請求項５】
前記基準位置部材に設けられた第１電気接点と、前記ロック用移動部材に設けられた第２電気接点と、を備え、
前記ロック用移動部材が前記使用位置に配置されている状態で前記第１電気接点と第２電気接点とが接続されて走査体の駆動が可能とされ、前記ロック用移動部材が前記ロック位置に配置されている状態で前記第１電気接点と第２電気接点とが離間されて走査体の駆動が不能とされていること、を特徴とする請求項２〜請求項４のいずれか１項に記載の画像読取装置。
【請求項６】
前記操作パネルユニット上には、前記走査体の駆動を指示する動作指示ボタンが配置され、
前記ロック用移動部材が前記ロック位置に配置されている状態で、前記動作指示ボタンが前記筐体の内部に配置されて指示入力不能とされ、前記ロック用移動部材が前記使用位置に配置されている状態で前記動作指示ボタンが前記筐体の外部に配置され指示入力可能とされていること、を特徴とする請求項４に記載の画像読取装置。
【請求項７】
請求項１〜６のいずれか１項に記載の画像読取装置と、
画像を形成する画像形成部と、
を備えた画像形成装置。
【請求項８】
輸送の際に梱包材に収納される画像形成装置であって、
前記ロック用移動部材が前記使用位置に配置されているときに、前記梱包材への収納が不能とされ、前記ロック用移動部材が前記ロック位置に配置されているときに、前記梱包材への収納が可能とされていること、
を特徴とする請求項７に記載の画像形成装置。
【発明の詳細な説明】
【技術分野】
【０００１】
本発明は、画像読取装置、及び画像形成装置に関する。
【背景技術】
【０００２】
画像形成装置（プリンタ）に、フラットベッド構成の画像読取装置（スキャナ）を一体化させた、ＭＦＰ（Multi Function Printer）、ＡＩＯ（All In One）と呼ばれるものがある。画像読取装置は、走査体であるキャリッジに、発光部と、結像光学系と、ＣＣＤ（Charge Coupled Device）等からなる撮像素子基板とが取付けられており、キャリッジが走査すると、発光部から出射した光が原稿で反射し、結像光学系を通してＣＣＤに結像されて、所定の画像データが得られる。
【０００３】
キャリッジは、輸送時の衝撃等により、光学部品の取付け位置等が変わる可能性があり、工場からユーザーへ届ける時の輸送時や、ユーザーからの返品時に、キャリッジを画像読取装置の本体に固定する必要がある。このため、キャリッジを固定するための固定手段を設けた画像読取装置がある（例えば、特許文献１、２参照）。
【０００４】
【特許文献１】特開２００３−２９５３３８
【０００５】
【特許文献２】特開２００５−２３４０７３
【発明の開示】
【発明が解決しようとする課題】
【０００６】
本発明は、ユーザーに対して、より確実に走査体の固定及び固定の解除を促す、画像読取装置、及び画像形成装置を得ることを目的とする。
【課題を解決するための手段】
【０００７】
本発明の請求項１に係る画像読取装置は、  基準位置部材と、原稿に照射された光の反射光が結像される撮像素子と、光学部品を有し走査方向に移動可能な走査体と、前記基準位置部材と相対移動されることにより、前記走査体の前記走査方向の移動を許容する使用位置と、前記走査体の前記走査方向の移動を規制するロック位置と、の間で移動可能とされ、操作パネルユニットを少なくとも含んで構成された、ロック用移動部材と、を備えている。
【０００８】
本発明の請求項２に係る画像読取装置は、前記ロック用移動部材は、前記使用位置では前記走査体の駆動の入力を可能とすると共に、前記ロック位置では前記走査体の駆動の入力を制限すること、を特徴としている。
【０００９】
本発明の請求項３に係る画像読取装置は、前記ロック用移動部材が、前記走査体を収容した筐体を含んで構成され、前記筐体と前記基準位置部材とが相対移動されること、を特徴とする。
【００１０】
本発明の請求項４に係る画像読取装置は、前記基準位置部材が、前記走査体を収容した筐体を含んで構成され、前記筐体と前記操作パネルユニットとが相対移動されること、を特徴とする。
【００１１】
本発明の請求項５に係る画像読取装置は、前記基準位置部材に設けられた第１電気接点と、前記ロック用移動部材に設けられた第２電気接点と、を備え、前記ロック用移動部材が前記使用位置に配置されている状態で前記第１電気接点と第２電気接点とが接続されて走査体の駆動が可能とされ、前記ロック用移動部材が前記ロック位置に配置されている状態で前記第１電気接点と第２電気接点とが離間されて走査体の駆動が不能とされていること、を特徴とする。
【００１２】
本発明の請求項６に係る画像読取装置は、前記操作パネルユニット上に、前記走査体の駆動を指示する動作指示ボタンが配置され、前記ロック用移動部材が前記ロック位置に配置されている状態で、前記動作指示ボタンが前記筐体の内部に配置されて指示入力不能とされ、前記ロック用移動部材が前記使用位置に配置されている状態で前記動作指示ボタンが前記筐体の外部に配置され指示入力可能とされていること、を特徴とする。
【００１３】
本発明の請求項７に係る画像形成装置は、請求項１〜５のいずれか１項に記載の画像読取装置と、画像を形成する画像形成部と、を備えている。
【００１４】
本発明の請求項８に係る画像形成装置は、輸送の際に梱包材に収納される画像形成装置であって、前記ロック用移動部材が前記使用位置に配置されているときに、前記梱包材への収納が不能とされ、前記ロック用移動部材が前記ロック位置に配置されているときに、前記梱包材への収納が可能とされていること、を特徴とする。
【発明の効果】
【００１５】
請求項１の発明では、操作パネルユニットを含んで構成されたロック用移動部材により、走査体の移動の規制及び許容がなされるので、本構成を有しない場合と比べ、より確実にユーザーに対してロック用部材を使用位置に配置させるように促すことができる。
【００１６】
請求項２の発明では、ロック用移動部材により、走査体の駆動の入力の制限及び許容がなされるので、さらに確実にユーザーに対してロック用部材を使用位置に配置させるように促すことができる。
【００１７】
請求項３の発明では、筐体の移動により走査体の移動の規制及び許容が行われる。
【００１８】
請求項４の発明では、操作パネルユニットの移動により走査体の移動の規制及び許容が行われる。
【００１９】
請求項５の発明では、第１電気接点と第２電気接点との接続及び離間により、走査体の駆動の入力を制限及び許容が行われる。
【００２０】
請求項６の発明では、動作指示ボタンが筐体内に配置されて走査体の駆動の入力が制限され、動作指示ボタンが筐体外に配置されて走査体の駆動の入力が許容される。
【００２１】
請求項７の発明では、操作パネルユニットを含んで構成されたロック用移動部材により、走査体の移動の規制及び許容、駆動の入力の制限及び許容がなされるので、より確実にユーザーに対してロック用部材を使用位置に配置させるように促すことができる。
【００２２】
請求項８の発明では、ユーザーに対して、画像形成装置を梱包材へ収納する際に、確実にロック用部材をロック位置に配置させるように促すことができる。
【発明を実施するための最良の形態】
【００２３】
［第１実施形態］
【００２４】
本発明の画像読取装置、及び画像形成装置の実施形態を図面に基づき説明する。
【００２５】
図１及び図２には、記録用紙上に画像形成を行う画像形成装置１０が示されている。画像形成装置１０は、原稿を読み取る原稿読取部１２と、原稿読取部１２の下部に配置された本体部１４とを有している。本体部１４では、原稿読取部１２で読み取られた画像データに基づいて画像形成が行われる。また、原稿読取部１２上には、当該原稿読取部１２の開閉蓋を兼用する原稿搬送装置１６が設けられている。
【００２６】
原稿搬送装置１６には、複写しようとする原稿を（複数枚の場合は重ねて）載せるフィーダートレイ１８が設けられている。また、フィーダートレイ１８の下方には、フィーダートレイ１８から送り込まれて読み取られた原稿が排出される排紙トレイ２０が設けられている。ここで、原稿搬送装置１６及び原稿読取部１２では、排紙トレイ２０上に載せられた原稿（複数枚重ねられている場合は、その最上層の原稿）が、図示しない原稿反転ユニットへ送り込まれ、反転しながら原稿読取部１２のプラテンガラス２２（図２参照）上の読取領域を通過し、排紙トレイ２０上に排出されることにより、原稿の読み取りが行われる。
【００２７】
本体部１４は、本体下部に配設された給紙トレイ２６と、給紙トレイ２６の上部に配置され画像形成を行う画像形成部１２０とを有している。また、原稿読取部１２には、ユーザーが原稿読取、或いは複写指示等を入力操作するための表示部（パネル）２３及びスタートボタン２５を含む操作部（テンキー、スタートボタン等）を備えた操作パネルユニット２４が配設されている。操作パネルユニット２４の詳細については後述する。
【００２８】
図３に示すように、画像形成部１２０は、本体を構成する筐体１２２に露光装置１２４が固定されており、露光装置１２４に隣接する位置に、画像形成装置１０の各部の動作を制御するコントロールユニット４２が設けられている。
【００２９】
露光装置１２４は、原稿読取部１２で読み取られた画像情報に基づいて、図示しない光源から出射された光ビームを回転多面鏡（ポリゴンミラー）で走査し、反射ミラー等の複数の光学部品で反射して、イエロー（Ｙ）、マゼンタ（Ｍ）、シアン（Ｃ）、及び ブラック（Ｋ）の各トナーに対応した光ビーム１２６Ｙ、１２６Ｍ、１２６Ｃ、１２６Ｋを出射するようになっている。光ビーム１２６Ｙ、１２６Ｍ、１２６Ｃ、１２６Ｋは、それぞれ対応する各感光体１２８Ｙ、１２８Ｍ、１２８Ｃ、１２８Ｋに導かれる。
【００３０】
画像形成部１２０の下方側には、前述の給紙トレイ２６が配設されており、給紙トレイ２６の上方には、記録用紙Ｐの先端部位置を調整する一対のレジストロール１２９が設けられている。また、画像形成部１２０の中央には、画像形成ユニット１３０が設けられている。画像形成ユニット１３０は、前述の４つの感光体１２８Ｙ、１２８Ｍ、１２８Ｃ、１２８Ｋを備えており、これらが上下一列に並んでいる。
【００３１】
感光体１２８Ｙ、１２８Ｍ、１２８Ｃ、１２８Ｋの回転方向上流側には、感光体１２８Ｙ、１２８Ｍ、１２８Ｃ、１２８Ｋの表面を帯電する帯電ローラ１３２Ｙ、１３２Ｍ、１３２Ｃ、１３２Ｋが設けられている。また、感光体１２８Ｙ、１２８Ｍ、１２８Ｃ、１２８Ｋの回転方向下流側には、Ｙ、Ｍ、Ｃ、Ｋの各トナーをそれぞれ感光体１２８Ｙ、１２８Ｍ、１２８Ｃ、１２８Ｋ上に現像する現像器１３４Ｙ、１３４Ｍ、１３４Ｃ、１３４Ｋが設けられている。
【００３２】
一方、感光体１２８Ｙ、１２８Ｍには第１中間転写体１３６が接触し、感光体１２８Ｃ、１２８Ｋには第２中間転写体１３８が接触している。そして、第１中間転写体１３６、第２中間転写体１３８には第３中間転写体１４０が接触している。第３中間転写体１４０と対向する位置には、転写ロール１４２が設けられている。ここで、転写ロール１４２と第３中間転写体１４０との間を記録用紙Ｐが搬送され、第３中間転写体１４０上のトナー像を記録用紙Ｐに転写させる。
【００３３】
記録用紙Ｐが搬送される用紙搬送路１４４の下流には、定着装置１４６が設けられている。定着装置１４６は、定着ロール１４８と加圧ロール１５０を有しており、記録用紙Ｐを加熱・加圧してトナー像を記録用紙Ｐに定着させる。トナー像が定着された記録用紙Ｐは、用紙搬送ロール１５２で画像形成部１２０の上部に設けられた排出トレイ２８に排出される。
【００３４】
ここで、画像形成部１２０の画像形成について説明する。
【００３５】
画像形成が開始されると、各感光体１２８Ｙ〜１２８Ｋの表面が帯電ローラ１３２Ｙ〜１３２Ｋによって一様に帯電される。露光装置１２４から出力画像に対応した光ビーム１２６Ｙ〜１２６Ｋが、帯電後の感光体１２８Ｙ〜１２８Ｋの表面に照射され、感光体１２８Ｙ〜１２８Ｋ上に各色分解画像に応じた静電潜像が形成される。この静電潜像に対して、現像器１３４Ｙ〜１３４Ｋが選択的に各色、すなわちＹ〜Ｋのトナーを付与し、感光体１２８Ｙ〜１２８Ｋ上にＹ〜Ｋ色のトナー像が形成される。
【００３６】
その後、マゼンタ用の感光体１２８Ｍから第１中間転写体１３６にマゼンタのトナー像が一次転写される。また、イエロー用の感光体１２８Ｙから第１中間転写体１３６にイエローのトナー像が一次転写され、第１中間転写体１３６上で前記マゼンタのトナー像に重ね合わされる。
【００３７】
一方、同様にブラック用の感光体１２８Ｋから第２中間転写体１３８にブラックのトナー像が一次転写される。また、シアン用の感光体１２８Ｃから第２中間転写体１３８にシアンのトナー像が一次転写され、第２中間転写体１３８上で前記ブラックのトナー像に重ね合わされる。
【００３８】
第１中間転写体１３６へ一次転写されたマゼンタとイエローのトナー像は、第３中間転写体１４０へ二次転写される。一方、第２中間転写体１３８へ一次転写されたブラックとシアンのトナー像も、第３中間転写体１４０へ二次転写される。ここで、先に二次転写されているマゼンタ 、イエローのトナー像と、シアン、ブラックのトナー像とが重ね合わされ、カラー（３色）とブラックのフルカラートナー像が第３中間転写体１４０上に形成される。
【００３９】
二次転写されたフルカラートナー像は、第３中間転写体１４０と転写ロール１４２との間のニップ部に達する。そのタイミングに同期して、レジストロール１２９から記録用紙Ｐが当該ニップ部分に搬送され、記録用紙Ｐ上にフルカラートナー像が三次転写（最終転写）される。
【００４０】
この記録用紙Ｐは、その後、定着装置１４６に送られ、定着ロール１４８と加圧ロール１５０とのニップ部を通過する。その際、定着ロール１４８と加圧ロール１５０とから与えられる熱と圧力との作用により、フルカラートナー像が記録用紙Ｐに定着される。定着後、記録用紙Ｐは用紙搬送ロール１５２により排出トレイ２８に排出され、記録用紙Ｐへのフルカラー画像形成が終了する。
【００４１】
図１及び図４に示すように、原稿読取部１２の筐体を構成するケース１３の上面には開口が形成されており、当該開口に、透明のガラス板からなり原稿３１が載置されるプラテンガラス２２が嵌め込まれている。なお、原稿搬送装置１６にあるフィーダートレイ１８を用いることができない製本原稿等を、直接プラテンガラス２２に載せて複写する場合は、原稿搬送装置１６を上方へ開放することになる。
【００４２】
プラテンガラス２２の下部の装置内空間部には、原稿３１の読み取りを行う走査ユニット３２が配設されている。走査ユニット３２は、画像形成装置１０の正面から奥側に向かう方向を長手方向（主走査方向）として原稿３１に向けて発光する棒状の光源３９と、光源３９と平行に配置され、原稿３１で反射された光Ｌを反射する複数のミラーからなる反射部３６と、反射部３６で反射された光Ｌを集光する光学部品としてのレンズからなる集光部３８と、集光部３８で集光された光Ｌを受光（結像）して電気信号を出力するＣＣＤ（Charge Coupled Device)ラインセンサ４０と、を有している。また、ＣＣＤラインセンサ４０は、画像形成装置１０の本体内に設けられた前述のコントロールユニット４２に接続されている。なお、反射部３６で複数のミラーにより光Ｌを折り返すのは、ＣＣＤラインセンサ４０への結像に所定の光路長を必要とするためである。
【００４３】
ここで、走査ユニット３２が、前記主走査方向と直交する方向（副走査方向：矢印Ｘ）に移動することで、光源３９からの発光光が、原稿３１に記録された画像にライン状に照射される。続いて、原稿３１からの反射光が、反射部３６及び集光部３８を介してＣＣＤラインセンサ４０で受光される。ＣＣＤラインセンサ４０では、光電変換によって画像濃度に応じた電気信号をコントロールユニット４２に出力する。そして、コントロールユニット４２では、得られた電気信号に基づいて照射領域の画像濃度を検出する。このようにして、原稿３１の画像の読み取りが行われる。
【００４４】
一方、プラテンガラス２２の周囲には、原稿セットガイド３０が設けられている。原稿セットガイド３０は、プラテンガラス２２より僅かな凸状の段差となっており、原稿セットガイド３０の段差に接するように原稿３１の角部を合わせることにより、容易に原稿３１の位置決めが行われる。原稿セットガイド３０の周囲で画像形成装置１０の奥側（図の上方）には、原稿搬送装置１６の底面側に設けられたヒンジ部材（図示省略）が固定される固定部４４Ａ、４４Ｂが設けられている。
【００４５】
図５にも示すように、原稿読取部１２内には、走査ユニット３２が配設されている。走査ユニット３２は、主走査方向（矢印Ｙ方向）を長手方向とする長尺状とされている。走査ユニット３２は、停止時には、図５においてケース１３の左側に配置されている。走査ユニット３２の内部には、前述の光源３９と反射部３６が配置されている。光源３９の上方は、開放されて開口部６８が形成され、反射部３８の上方には、反射部３６の大半を覆うようにしてカバー部材６６が取付けられている。カバー部材６６により、走査ユニット３２内部の光源３９から出射された光が、開口部６８を経由して原稿３１で反射して、再度開口部６８を経由して、走査ユニット３２内部の反射部３６で反射されるようになっている。走査ユニット３２の手前側には、ラック３３が構成されている。
【００４６】
原稿読取部１２のケース１３内には、副走査方向（Ｘ方向）の両端に搬送ローラ７０Ａ、７０Ｂが設けられ、搬送ローラ７０Ａ、７０Ｂに無端状のベルト７２が架設されている。走査ユニット３２は、ベルト７２に取り付けられると共にベルト７２に沿って配置されたレール部材７１に係合されており、副走査方向（Ｘ方向）に移動可能とされている。また、ケース１３内の左手前側で、走査ユニット３２よりも右側には、リブ７７が設けられている。さらに、ケース１３内の走査ユニット３２の手前側には、走査ユニット３２のラック３３に係合されるパネル用ロック部３４が設けられている。パネル用ロック部３４の詳細については後述する。ケース１３内の手前側中央部には、図６にも示すように、係合凹部７５、７６が構成されている。
【００４７】
操作パネルユニット２４は、ケース１３の手前側に設けられている。操作パネルユニット２４は、上側からみて長方形状とされており、上面の左手前には各種の情報表示が行われる表示部２３が設けられ、上面の右奥側には原稿の読取りの開始を指示するためのスタートボタン２５が設けられている。操作パネルユニット２４の奥側でリブ７７に対応する位置には、凹部２８が構成されている。凹部２８には、リブ７７が進入可能とされており、リブ７７の進入を検知するセンサ２９が設けられている。
【００４８】
図６に示すように、操作パネルユニット２４の下面奥側中央部には、係合凸部２７が形成されている。係合凸部２７は、ケース１３に構成された係合凹部７５、７６に対応する位置に配置され、係合凹部７５、７６へ係合可能とされている。
【００４９】
操作パネルユニット２４は、図５（Ａ）に示す使用位置Ｐ１と、図５（Ｂ）に示すロック位置Ｐ２との間を、ケース１３に構成された不図示のガイドに沿って移動可能とされている。
【００５０】
操作パネルユニット２４がロック位置Ｐ２に配置されているときには、図５（Ｂ）に示すように、操作パネルユニット２４の側面が走査ユニット３２の移動方向側に当てられ、走査ユニット３２の移動が規制されている。また、リブ７７が凹部２８内に進入して、センサ２９により操作パネルユニット２４がロック位置Ｐ２に配置されていることが検知される。このとき、表示部２３には、ユーザーに対して操作パネルユニット２４を引き出す操作を行う旨のメッセージが表示される。さらに、係合凸部２７は係合凹部７５と係合されている（図６（Ａ）参照）。図７に示すように、表示部２３はケース１３の外側に配置され、スタートボタン２５は、ケース１３の内側に配置されている。
【００５１】
操作パネルユニット２４が使用位置Ｐ２に配置されているときには、図５（Ａ）に示すように、操作パネルユニット２４の側面による走査ユニット３２の移動規制が解除される。また、リブ７７が凹部２８内から出て、センサ２９により操作パネルユニット２４がロック位置Ｐ２に配置されていないことが検知される。さらに、係合凸部２７は係合凹部７６と係合される（図６（Ｂ）参照）。図１に示すように、表示部２３及びスタートボタン２５は、ケース１３の外側に配置される。
【００５２】
図８に示すように、パネル用ロック部３４は、ピニオン３４Ａ、スライド爪３５、及び、ガイド３４Ｂを備えている。スライド爪３５は、略Ｌ字状とされ、Ｌ字の一辺がＸ方向に配置され（この部分を以下「規制部３５Ａ」という）、他辺がＹ方向に配置され（この部分を以下「保持部３５Ｂ」という）ている。保持部３５Ｂには、ピニオン３４Ａが所定のトルクをもって回転可能に支持されている。ピニオン３４Ａは、ラック３３と係合されている。
【００５３】
スライド爪３５は、非規制位置Ｑ１（図８（Ａ）参照）と規制位置Ｑ２（図８（Ｂ）参照）との間を移動可能とされている。スライド爪３５が非規制位置Ｑ１に配置されているときには、操作パネルユニット２４は使用位置Ｐ１からロック位置Ｐ２への移動が可能とされており、スライド爪３５が規制位置Ｑ２に配置されているときには、スライド爪３５により規制されて操作パネルユニット２４は使用位置Ｐ１からロック位置Ｐ２への移動が不能とされている。ガイド３４Ｂは、ケース１３に沿って配置され、スライド爪３５が係合されている。
【００５４】
図９に示すように、画像形成装置１０は、搬送される際に、梱包材９２、９４、梱包箱９６に梱包される。梱包材９２は発泡材で構成され、原稿読取部１２及び原稿搬送装置１６を収納可能な第１収納部Ｒ１が構成されている。原稿読取部１２の操作パネルユニット２４が使用位置Ｐ１に配置されているときには、操作パネルユニット２４が突出されているため第１収納部Ｒ１への原稿読取部１２の収納は不可能とされている。操作パネルユニット２４がロック位置Ｐ２に配置されているときには、操作パネルユニット２４の一部がケース１３内に収納されているため第１収納部Ｒ１への原稿読取部１２の収納が可能とされている。
【００５５】
梱包材９４についても、発泡材で構成され、本体部１４を収納可能な第２収納部Ｒ１が構成されている。原稿読取部１２及び原稿搬送装置１６が第１収納部Ｒ１内に収納され、本体部１４が第２収納部Ｒ２内に収納された状態で、梱包材９２、９４が、箱状の梱包箱９６へ収納される。
【００５６】
上記のように梱包されている画像形成装置１０をユーザーが使用する場合には、梱包箱９６から梱包材９２、９４に収納された状態の画像形成装置１０を取り出し、梱包材９２、９４を取り外す。そして、操作パネルユニット２４を、ロック位置Ｐ２から使用位置Ｐ１へ移動させる。これにより、操作パネルユニット２４による走査ユニット３２のＸ方向への移動規制が解除されると共に、スタートボタン２５がケース１３の外に配置され、操作可能になる。
【００５７】
不図示の電源用コンセントを接続させ、電源スイッチをＯＮにすることにより、画像形成装置１０へ電力が供給される。原稿３１をプラテンガラス２２上に置いてスタートボタン２５を押すと、走査ユニット３２はＸ方向へ移動しつつ原稿３１を読み取る。このとき、パネル用ロック部３４のピニオン３４Ａは非規制位置Ｑ１から、走査ユニット３２のラック３３の移動に追従してＸ方向へ移動して規制位置Ｑ２へ配置される。これにより、操作パネルユニット２４の、使用位置Ｐ１からロック位置Ｐ２への移動が阻止される。
【００５８】
ユーザーが、修理等のために画像形成装置１０を搬送する際には、操作パネルユニット２４を使用位置Ｐ１からロック位置Ｐ２へ押し込み、走査ユニット３２を固定する。その後、梱包材９２の第１収納部Ｒ１へ原稿読取部１２及び原稿搬送装置１６を収納する。また、本体部１４を梱包材９４の第２収納部Ｒ２へ収納し、梱包材９２、９４を梱包箱９６へ収納する。
【００５９】
本実施形態の画像形成装置１０では、初期の使用時に、ユーザーが操作パネルユニット２４をロック位置Ｐ２から使用位置Ｐ１へ移動させずに駆動を試みても、スタートボタン２５がケース１３内に配置されているため、走査ユニット３２を駆動させることはできない。これにより、ユーザーに対して、スタートボタン２５を操作可能な位置に配置させて、走査ユニット３２の固定を解除することを促すことができる。
【００６０】
［第２実施形態］
【００６１】
次に、本発明の第２実施形態について説明する。本実施形態では、第１実施形態と同一の部分について同様の符号を付して、その詳細な説明は省略する。
【００６２】
本実施形態の画像形成装置６０は、図１０に示すように、本体部１４の上部に支持部材５０が固定されている。支持部材５０上には、原稿読取部１２が取り付けられている。原稿読取部１２は、図１１に示すように、支持部材５０上で、使用位置Ｐ３（図１１（Ｂ）参照）とロック位置Ｐ４（図１１（Ａ）参照）との間を移動可能とされている。
【００６３】
本実施形態の操作パネルユニット５２は、ケース１３の手前側に固定されている。ケース１３と相対移動されない点、及び、センサ２９、凹部２８を有していない点以外については、第１実施形態の操作パネルユニット２４とほぼ同一構成を有している。
【００６４】
支持部材５０の上面には、第１接点５４が固定されている。第１接点５４は、ケース１３の底面に構成された不図示の孔を挿通してケース１３内に配置されている。また、原稿読取部１２のケース１３には、第２接点５６が固定されている。原稿読取部１２がロック位置Ｐ４に配置されているときに、第１接点５４と第２接点５６とは離間されて走査ユニット３２への電力供給は不能とされ、原稿読取部１２が使用位置Ｐ３に配置されているときに、第１接点５４と第２接点５６とは接続されて、走査ユニット３２への電力供給が可能とされている。
【００６５】
また、支持部材５０の上面には、ロック突部材５１が固定されている。ロック突部材５１は、ケース１３の下底に構成された溝１３Ａに係合され、ケース１３内に突出されている。溝１３Ａは、手前側から見て、走査ユニット３２の右側にＹ方向に沿って構成され、ロック突部材５１は溝１３Ａに沿って移動可能とされている。原稿読取部１２がロック位置Ｐ４に配置されているときに、ロック突部材５１は走査ユニット３２に当てられて走査ユニット３２のＸ方向の移動を規制する（図１１（Ａ）参照）。原稿読取部１２が使用位置Ｐ３に配置されているときに、ロック突部材５１は走査ユニット３２のＹ方向手前側に配置され、走査ユニット３２のＸ方向の移動が許容される。
【００６６】
図１３に示すように、画像形成装置６０は、搬送される際に、梱包材６２、６４、梱包箱６５に梱包される。梱包材６２は発泡材で構成され、原稿読取部１２及び原稿搬送装置１６を収納可能な第３収納部Ｒ３が構成されている。梱包材６４についても、発泡材で構成され、本体部１４を収納可能な第４収納部Ｒ４が構成されている。
【００６７】
ここで、原稿読取部１２が使用位置Ｐ３に配置されているときには、図１２に示すように、梱包材６２と梱包材６４との位置がズレて互いの側面が面一でないため、箱状の梱包箱６５に収納することができない。原稿読取部１２がロック位置Ｐ４に配置されているときには、図１３に示すように、梱包材６２と梱包材６４の側面同士が面一になっているため、箱状の梱包箱６５に収納することができる。
【００６８】
上記のように梱包されている画像形成装置６０をユーザーが使用する場合には、梱包箱６５から梱包材６２、６４に収納された状態の画像形成装置６０を取り出し、梱包材６２、６４を取り外す。そして、原稿読取部１２を、ロック位置Ｐ４から使用位置Ｐ３へ移動させる。これにより、ロック突部材５１による走査ユニット３２のＸ方向への移動規制が解除されると共に、第１接点５４と第２接点５６とが接続されて、走査ユニット３２の駆動が可能になる。
【００６９】
不図示の電源用コンセントを接続させ、電源スイッチをＯＮにすることにより、画像形成装置６０へ電力が供給される。原稿３１をプラテンガラス２２上に置いてスタートボタン２５を押すと、走査ユニット３２はＸ方向へ移動しつつ原稿３１を読み取る。
【００７０】
ユーザーが、修理等のために画像形成装置６０を搬送する際には、原稿読取部１２を使用位置Ｐ３からロック位置Ｐ４へ押し込み、ロック突部材５１で走査ユニット３２を固定する。その後、梱包材６２の第３収納部Ｒ３へ原稿読取部１２及び原稿搬送装置１６を収納する。また、本体部１４を梱包材６４の第４収納部Ｒ４へ収納し、梱包材６２、６４を梱包箱６５へ収納する。
【００７１】
本実施形態の画像形成装置６０では、初期の使用時に、ユーザーが原稿読取部１２をロック位置Ｐ４から使用位置Ｐ３へ移動させずに駆動を試みても、第１接点５４と第２接点５６が接続されていないため、走査ユニット３２を駆動させることはできない。これにより、ユーザーに対して、原稿読取部１２を使用位置Ｐ３へ移動させて、走査ユニット３２の固定を解除することを促すことができる。
【図面の簡単な説明】
【００７２】
【図１】第１実施形態の画像形成装置の斜視図である。
【図２】第１実施形態の画像形成装置で原稿搬送装置を取り外した状態の斜視図である。
【図３】第１実施形態の画像形成部の構成図である。
【図４】第１実施形態の原稿読取部を模式的に示した側面図である。
【図５】第１実施形態の原稿読取部の内部の構成図である。
【図６】第１実施形態の操作パネルユニットの側面図である。
【図７】第１実施形態の画像形成装置の操作パネルユニットがロック位置に配置された状態の斜視図である。
【図８】第１実施形態の画像形成装置のパネル用ロック部の構成を示す図である。
【図９】第１実施形態の画像形成装置を梱包する状態を示す側断面図である。
【図１０】第２実施形態の画像形成装置で原稿搬送装置を取り外した状態の斜視図である。
【図１１】第２実施形態の原稿読取部と支持部材の構成図である。
【図１２】第２実施形態の画像形成装置の梱包が不可の状態を示す側断面図である。
【図１３】第２実施形態の画像形成装置の梱包が可能な状態を示す側断面図である。
【符号の説明】
【００７３】
１０   画像形成装置
１２   原稿読取部
１３   ケース
１４   本体部
１６   原稿搬送装置
２２   プラテンガラス
２３   表示部
２４   操作パネルユニット
２５   スタートボタン
３１   原稿
３２   走査ユニット
３４   パネル用ロック部
３５   スライド爪
５０   支持部材
５１   ロック突部材
５２   操作パネルユニット
５４   第１接点
５６   第２接点
６０   画像形成装置
６２   梱包材
６４   梱包材
６６   カバー部材
６５   梱包箱
７５   係合凹部
７７   リブ
７６   係合凹部
９２   梱包材
９４   梱包材
９６   梱包箱
Ｐ１   使用位置
Ｐ２   ロック位置
Ｐ２   使用位置
Ｐ３   使用位置
Ｐ４   ロック位置
Ｑ１   非規制位置
Ｑ２   規制位置
Ｒ１   収納部
Ｒ２   収納部
Ｒ３   収納部
Ｒ４   収納部
【図１】
2009303127.tif 000003
【図２】
2009303127.tif 000004
【図３】
2009303127.tif 000005
【図４】
2009303127.tif 000006
【図５】
2009303127.tif 000007
【図６】
2009303127.tif 000008
【図７】
2009303127.tif 000009
【図８】
2009303127.tif 000010
【図９】
2009303127.tif 000011
【図１０】
2009303127.tif 000012
【図１１】
2009303127.tif 000013
【図１２】
2009303127.tif 000014
【図１３】
2009303127.tif 000015